(57)【要約】【課題】読取視野が広いバーコード読取装置を提供する。【解決手段】アイテムを撮像するために、可動式ミラーを異なる焦点距離および視野のところに位置させる多重開口撮像バーコード・リーダ。このバーコード・リーダは、第１の開口および第２の開口を含むハウジングと、第１および第２の位置に移動することができるミラー組立体と、ミラー組立体が第１の位置に位置し、第１のアイテムが第１の開口と光学的に整合している場合に、第１のアイテムの第１の画像を取り込むための、またミラー組立体が第２の位置に位置し、第２のアイテムが第２の開口と光学的に整合している場合に、第２のアイテムの第２の画像を取り込むためのカメラと、第１のアイテム上の第１のバーコード・ラベルを識別し復号するための、また第２のアイテム上の第２のバーコード・ラベルを識別し復号するためのプロセッサとを含む。【選択図】図６
2010061640.tif 000002
【特許請求の範囲】
【請求項１】
バーコード・リーダであって、
第１の開口および第２の開口を含むハウジングと、
第１および第２の位置に移動することができるミラー組立体と、
前記ミラー組立体が前記第１の位置に位置し、第１のアイテムが前記第１の開口と光学的に整合している場合に、前記第１のアイテムの第１の画像を取り込むための、また前記ミラー組立体が前記第２の位置に位置し、第２のアイテムが前記第２の開口と光学的に整合している場合に、前記第２のアイテムの第２の画像を取り込むためのカメラと、
前記第１のアイテム上の第１のバーコード・ラベルを識別し復号するための、また前記第２のアイテム上の第２のバーコード・ラベルを識別し復号するためのプロセッサと、
を備えるバーコード・リーダ。
【請求項２】
前記第１の開口に隣接する前記第１のアイテム用のエンクロージャをさらに備える、請求項１に記載のバーコード・リーダ。
【請求項３】
前記エンクロージャが、前記エンクロージャ内への前記第１のアイテムの挿入を容易にし、前記エンクロージャから前記第１のアイテムの取り出しを容易にするためのスロットを含む、請求項２に記載のバーコード・リーダ。
【請求項４】
前記ミラー組立体が、前記第１および第２の位置の間を回転する、請求項１に記載のバーコード・リーダ。
【請求項５】
前記ミラー組立体が回転するアクスルをさらに備える、請求項４に記載のバーコード・リーダ。
【請求項６】
前記第２の位置の方向に前記ミラー組立体を付勢するために、前記アクスルと結合しているスプリングをさらに備える、請求項５に記載のバーコード・リーダ。
【請求項７】
前記エンクロージャ内への前記第１のアイテムの挿入を容易にするためのスロットを含む前記第１の開口に隣接する前記第１のアイテム用のエンクロージャと、
前記第１のアイテムにオペレータによる保持力が加わらなかった場合に、前記エンクロージャ内に位置し、前記エンクロージャから前記第１のアイテムを押し出すために、前記アクスルと結合しているアイテム・エジェクタと、
をさらに備える、請求項６に記載のバーコード・リーダ。
【請求項８】
前記ミラー組立体が、
第１および第２の側面を有するミラー・マウントと、
第１の方向を向いている前記ミラー・マウントの前記第１の側面上の第１のミラーと、
第２の方向を向いている前記ミラー・マウントの前記第２の側面上の第２のミラーとを備え、
前記カメラが、前記第１のミラーにより前記第１の画像を取り込み、前記第２のミラーにより前記第２の画像を取り込む、請求項１に記載のバーコード・リーダ。
【請求項９】
前記第１のアイテムが、運転免許証を含む、請求項１に記載のバーコード・リーダ。
【請求項１０】
前記第２のアイテムが、搭乗券を含む、請求項１に記載のバーコード・リーダ。
【請求項１１】
キオスクであって、
バーコード・リーダであって、
第１の開口および第２の開口を含み、前記第１の開口がほぼ上方を向いていて、前記第２の開口がほぼ下方を向いているハウジングと、
第１および第２の位置に移動することができるミラー組立体と、
前記ミラー組立体が前記第１の位置に位置し、第１のアイテムが前記第１の開口と光学的に整合している場合に、前記第１のアイテムの第１の画像を取り込むための、また前記ミラー組立体が前記第２の位置に位置し、第２のアイテムが前記第２の開口と光学的に整合している場合に、前記第２のアイテムの第２の画像を取り込むためのカメラと、
前記第１のアイテム上の第１のバーコード・ラベルを識別し復号するための、また前記第２のアイテム上の第２のバーコード・ラベルを識別し復号するためのプロセッサと、
エンクロージャ内への前記第１のアイテムの挿入を容易にし、前記エンクロージャから前記第１のアイテムの取り出しを容易にするためのスロットを含む、前記第１の開口に隣接する前記第１のアイテム用のエンクロージャと、
を含むバーコード・リーダと、
前記第２の開口の下に前記第２のアイテムを支持するための前記バーコード・リーダの下の棚と、
を備えるキオスク。
【請求項１２】
前記第１のアイテムが、運転免許証を含む、請求項１１に記載のバーコード・リーダ。
【請求項１３】
前記第２のアイテムが、搭乗券を含む、請求項１１に記載のバーコード・リーダ。
【請求項１４】
画像取込装置であって、
第１および第２の位置に移動することができるミラーと、
前記ミラーが前記第１の位置に位置している時に、第１のアイテムの第１の画像を取り込むための、また前記ミラーが前記第２の位置に位置している時に、第２のアイテムの第２の画像を取り込むためのカメラと、
を備える画像取込装置。
【請求項１５】
前記ミラーが、前記第１の位置に位置している時に、前記第１のアイテム上の第１のバーコード・ラベルを識別し復号するための、また前記ミラーが、前記第２の位置に位置している時に、前記第２のアイテム上の第２のバーコード・ラベルを識別し復号するためのプロセッサをさらに備える、請求項１４に記載の画像取込装置。
【発明の詳細な説明】
【技術分野】
【０００１】
本発明は、複数の読取用の開口を有するバーコード読取装置（バーコード・リーダ）に関する。
【背景技術】
【０００２】
撮像バーコード・リーダは、バーコード・ラベルの画像を取り込む。このようなリーダの１つの欠点は、リーダから異なる距離のところに位置するアイテム上のバーコード・ラベルをなかなか読み取ることができないことである。
【０００３】
リーダが、アイテム上の第１のタイプのバーコード・ラベルを読み取る場合に、比較的近い位置に位置している場合には、視野が狭くなり、他のタイプのアイテム上の第２のタイプのバーコードを読み取るのが不可能でないにせよ困難になる。リーダがバーコードからもっと離れた位置に位置していて、視野がもっと広い場合には、第１のタイプのバーコード・ラベルの焦点がぼける。手により第１のタイプのバーコード・ラベルを正しい焦点距離のところに置くのは、手が動くために難しくなる。
【発明の概要】
【発明が解決しようとする課題】
【０００４】
それ故、多重開口撮像バーコード・リーダの開発が待望されている。
【課題を解決するための手段】
【０００５】
本発明は、多重開口撮像バーコード・リーダを提供する。
【０００６】
このバーコード・リーダは、第１の開口および第２の開口を含むハウジングと、第１および第２の位置に移動することができるミラー組立体と、ミラー組立体が第１の位置に位置し、第１のアイテムが第１の開口と光学的に整合している場合に、第１のアイテムの第１の画像を取り込むための、またミラー組立体が第２の位置に位置し、第２のアイテムが第２の開口と光学的に整合している場合に、第２のアイテムの第２の画像を取り込むためのカメラと、第１のアイテム上の第１のバーコード・ラベルを識別し復号し、また第２のアイテム上の第２のバーコード・ラベルを識別し復号するためのプロセッサとを含む。
【図面の簡単な説明】
【０００７】
【図１】例示としての多重開口撮像バーコード・リーダのブロック図である。
【図２】例示としてのバーコード・リーダの頂部の斜視図である。
【図３】例示としてのバーコード・リーダの底部の斜視図である。
【図４】内部コンポーネントを示す頂部の斜視図である。
【図５】第１の動作モードを示す側部内面図である。
【図６】第２の動作モードを示す側部内面図である。
【図７】撮像バーコード・リーダを含むキオスクである。
【発明を実施するための形態】
【０００８】
図１を参照すると、撮像バーコード・リーダ１０の例示としての実施形態は、カメラ１２および可動式ミラー１４を含む。
【０００９】
カメラ１２は、可動式ミラー１４が第１の位置に位置している場合に、第１の窓１６を通して第１のアイテム２０上の第１のバーコード・ラベル２２の第１の画像を取り込み、可動式ミラー１４が第２の位置に位置している場合に、第２の窓１８を通して第２のアイテム２４上の第２のバーコード・ラベル２６の第２の画像を取り込む。カメラ１２は、電荷結合素子（ＣＣＤ）カメラを含むことができ、また任意の必要な結像レンズを含む。
【００１０】
カメラ１２は、さらに、画像の取り込みを開始するために、アイテム２０および２４の動きを検出することができる。
【００１１】
可動式ミラー１４は、アイテム２０および２４から画像を取り込むために任意の方法で移動することができる。例えば、可動式ミラー１４は、回転することができる。他の可動式ミラー１４も使用することができる。
【００１２】
可動式ミラー１４の第１の位置は、第１の視野または視野の範囲、および第１の焦点距離または焦点距離の範囲と関連する。可動式ミラー１４の第２の位置は、第２の視野または視野の範囲および第２の焦点距離または焦点距離の範囲と関連する。
【００１３】
アイテム２０および２４は、カメラ１２から異なる焦点距離のところに置くことができる。例えば、バーコード・ラベル２２は、カメラ１２から比較的短い焦点距離のところでの読み取りに適しているＰＤＦ４１７バーコード・ラベルのような二次元バーコード・ラベルを含むことができる。バーコード・ラベル２６は、カメラ１２の視野がもっと広い、もっと長い焦点距離のところで読み取りを行うのに適しているＵＰＣ−１２８バーコード・ラベルのような高アスペクト比のバーコード・ラベルを含むことができる。
【００１４】
カメラ１２は、画像処理ソフトウェア３２およびバーコード復号化ソフトウェア３４を実行するためのプロセッサおよびメモリを含むコントローラ３６と結合している。
【００１５】
画像処理ソフトウェア３２は、バーコード・ラベル情報を含むカメラ１２からの画像データの幾つかの部分を識別し、バーコード・ラベル情報を離隔するためにこれら幾つかの部分を処理する。
【００１６】
バーコード・ラベル復号化ソフトウェアは、画像処理ソフトウェア３２が提供するバーコード・ラベル情報を復号する。
【００１７】
コントローラ３６は、復号したバーコード情報をコンピュータ３０に送信する。コンピュータ３０は、とりわけ、販売時点（ＰＯＳ）コンピュータ、キオスク、セルフサービス・チェックアウト・コンピュータ、現金自動預け払い機を含むことができ、またとりわけ、グローバル情報ネットワークを通して接続しているコンピュータを含む汎用コンピュータなどのトランザクション・コンピュータを含むことができる。
【００１８】
撮像バーコード・リーダ１０は、とりわけ、ＲＳ−２３２シリアル、パラレル、ユニバーサル・シリアル・バス、イーサネットおよび／または（例えば、８０２．１１、８０２．１５およびＩＲ）無線通信を含む方法によりコンピュータ３０と結合することができる。
【００１９】
ここで図２〜図６を参照すると、撮像バーコード・リーダ１０の例示としての実施形態は、エンクロージャ４０を含む。エンクロージャ４０は、頂部４２および底部４４を含む。エンクロージャ４０は、頂部４２および底部４４を分離することにより修理を行えるように開くことができる。
【００２０】
頂部４２は、窓１６を含む表面４６を含む。バーコード・ラベル２２を読み取るための所定の焦点距離にアイテム２０を固定するためのアイテム・エンクロージャ４８が窓１６上に位置する。例えば、アイテム２０は、運転免許証を含むことができ、バーコード・ラベル２２は、とりわけ、ＰＤＦ４１７、Ａｚｔｅｃ、ＱＲ、およびＤａｔａ  Ｍａｔｒｉｘ型バーコード・ラベルのような二次元バーコード・ラベルを含むことができる。アイテム・エンクロージャ４８は、センターライン７６から測定した場合、このタイプのバーコード２２を読み取るための最適な距離である、カメラ１２から約４．５インチ（１１．４３ｃｍ）の焦点距離にアイテム２０を固定することができる。
【００２１】
アイテム・エンクロージャ４８は、ほぼ平面であり、窓１６とほぼ同じ大きさであり、窓１６に平行になっている。従って、アイテム・エンクロージャ４８は、主として、運転免許証のような窓１６とほぼ同じ大きさのアイテム２０用のものである。アイテム・エンクロージャ４８は、アイテム２０を収容するための開口５２を含む。
【００２２】
底部４４は、アイテム２４の画像を取り込むための窓１８を含む表面５０を含む。
【００２３】
例示としての撮像バーコード・リーダ１０は、外側を向いている反射面を含むミラー・マウント６８の対向側面上に装着されている２つのミラー１４ａおよび１４ｂを含む。ミラー・マウント６８は、アクスル・マウント７０内に位置するアクスル７２を含んでいるので、ミラー・マウント６８はアクスル・マウント７０を中心にして回転することができる。
【００２４】
ミラー・マウント６８は、手動で回転させることもできるし、または自動的に回転することもできる。例えば、撮像バーコード・リーダ１０は、さらに、アクスル７２の一方の端部に取り付けられているピボット・アーム６２、ピボット・アーム６２と結合しているスライド・アクチュエータ・アーム６４、およびアイテム・エンクロージャ４８内でスライド・アクチュエータ・アーム６４と結合しているスライド・アクチュエータ・タブ６６を含むことができる。アイテム２０がアイテム・エンクロージャ４８内に深く挿入されると、アイテム２０がスライド・アクチュエータ・タブ６６を押すので、ミラー・マウント６８およびミラー１４ａが、アイテム２０の画像を取り込むための所望の位置に回転する（図４および図５）。この位置に来ると、ミラー・マウント６８は、センターライン７６から反時計方向に約４５度である角度８０の方向を向く。
【００２５】
アイテム２０が正しい位置に位置している間に、カメラ１２はアイテム２０の動きを検出し、画像の取り込みを開始する。例えば、カメラ２０は、対照的に所定の変化を検出し、画像の取り込みを開始することができる。別の方法としては、オペレータは、アイテム２０の画像を取り込むために、カメラ１２を作動することができる。もう１つの方法としては、ミラー・マウント６８を回転する同じ機構もカメラ１２を自動的に作動することができる。例えば、スライド・アクチュエータ・タブ６６は、運転免許証が完全に挿入された場合に、カメラ１２を自動的に作動するためにスイッチと係合することができる。アイテム２０の動きを検出するための専用動きセンサを含む他のタイプの作動方法も使用することができる。
【００２６】
ミラー・マウント６８は、ミラー１４ｂをアイテム２４の画像を取り込むためのある位置に配置するために、手動で回転させることもできるし、または自動的に回転させることもできる。例えば、撮像バーコード・リーダ１０は、さらにアイテム２４を撮像するために、ミラー・マウント６８をデフォルト位置に付勢するアクスル７２の周囲にスプリング７４を含むことができる。アイテム・エンクロージャ４８からアイテム２０を挿入すると、スプリング７４の付勢力に打ち勝つことができる。開口５２は、アイテム２０に摩擦で係合するような十分狭いものであってもよいし、またはオペレータが、アイテム・エンクロージャ４８内の正しい位置にアイテム２０を保持することもできる。
【００２７】
アイテム・エンクロージャ４８からアイテム２０を取り出すと、スプリング７４の付勢力が解放される。この位置に位置している場合には、ミラー・マウント６８は、センターライン７６から反時計方向に約４５度の角度８２の方向を向く。
【００２８】
アイテム２４の位置は固定されていなくてもよい。例えば、オペレータが、最適な画像取り込み距離および位置にアイテム２４を適切に位置させ、適切な方向に向けることもできる。別の方法としては、位置を完全におよび部分的に固定することができる。搭乗券を、ＵＰＣ−１２８のような高アスペクト比のバーコード・ラベル、またはＰＤＦ４１７のような二次元バーコード・ラベルと一緒に印刷することができるが、オペレータは、バーコード・ラベルを読み取るために十分な視野７８を提供する窓１８（およびカメラ１２）からある距離のところに位置する表面９８（図７）上にアイテム２４を位置させなければならない場合もある。
【００２９】
アイテム２４が正しい位置に位置している間に、カメラ１２は、アイテム２４の動きを検出し、画像の取り込みを開始する。別の方法としては、オペレータは、アイテム２４の画像を取り込むためにカメラ１２を作動することができる。アイテム２４の動きを検出するための専用動きセンサを含む他のタイプの作動方法も使用することができる。
【００３０】
ここで図７を参照すると、この図は例示としての旅行キオスク９０を示す。
【００３１】
旅行キオスク９０は、脚部９４を含む台座の形をとることができるハウジング９２を含む。他の構成および形状のハウジングも使用することができる。
【００３２】
旅行キオスク９０は、ハウジング９２と結合しているかまたは一体になっている一体型タッチスクリーン９８を含むコンピュータ９６を含む。
【００３３】
旅行キオスク９０は、さらに、撮像バーコード・リーダ１０を含むハウジング９２と結合しているかまたは一体になっている撮像バーコード・リーダ・ハウジング１００を含む。撮像バーコード・リーダ・ハウジング１００は、ハウジング９２から棚９６上を延びる。撮像バーコード・リーダ・ハウジング１００は、運転免許証を収容するためのスロット１０２、および窓１８を露出するための底部開口１１０を含む。
【００３４】
旅行キオスク９０は、さらに、ハウジング９２と結合しているかまたは一体になっている棚１０４を含むことができる。棚９６は、撮像バーコード・リーダ１０から適切な距離に搭乗券１０８を位置させる。旅行者は、窓１８の下に中心を有する頂面１０６上に搭乗券１０８を置く。
【００３５】
特に幾つかの実施形態について説明してきたが、添付の特許請求の範囲の精神および範囲から逸脱することなしに、種々の変更および修正を行うことができる。
【産業上の利用可能性】
【００３６】
本発明は、読取精度を向上させるための複数の読取用開口を有するバーコード読取装置に関するものであり、産業上の利用可能性を有する。
【図１】
2010061640.tif 000003
【図２】
2010061640.tif 000004
【図３】
2010061640.tif 000005
【図４】
2010061640.tif 000006
【図５】
2010061640.tif 000007
【図６】
2010061640.tif 000008
【図７】
2010061640.tif 000009